(57)【要約】【課題】識別情報用回転体に対する遊技者の視野範囲を広げると共に、前記識別情報用回転体に対する新たな変動制御による新規な演出によって、新鮮な遊技感覚を遊技者に付与し趣向性を向上させる。【解決手段】複数の識別情報がそれぞれ配列された複数の識別情報用回転体７１，８１と前記複数の識別情報用回転体を駆動する駆動手段とを備えた可変表示装置９と、前記複数の識別情報用回転体の駆動手段を制御する制御手段とを備えた遊技機において、前記複数の識別情報用回転体７１，８１を、前後に配置すると共に前側に配置された前側識別情報用回転体７１と後側に配置された後側識別情報用回転体８１の両方の識別情報が、前記遊技機前面側から視認可能となるようにした。【選択図】      図２
2004283307.tif 000002
【特許請求の範囲】
【請求項１】
複数の識別情報がそれぞれ配列された複数の識別情報用回転体と前記複数の識別情報用回転体を駆動する駆動手段とを備えた可変表示装置と、
前記複数の識別情報用回転体の駆動手段を制御する制御手段と、
を備えた遊技機において、
前記複数の識別情報用回転体を前後に配置すると共に、前側に配置された前側識別情報用回転体と後側に配置された後側識別情報用回転体の両方の識別情報が、前記遊技機前面側から視認可能となるようにしたことを特徴とする遊技機。
【請求項２】
前記前側識別情報用回転体を、前記後側識別情報用回転体よりも小さくして、前記遊技機前面側から前記前側識別情報用回転体の前記識別情報及び前記後側識別情報用回転体の前記識別情報の両方を視認可能にしたことを特徴とする請求項１に記載の遊技機。
【請求項３】
前記駆動手段を前記複数の識別情報用回転体のそれぞれに備え、前記制御手段によって前記複数の識別用回転体をそれぞれ制御することを特徴とする請求項１又は２に記載の遊技機。
【請求項４】
前記前側識別情報用回転体は、前記識別情報が配列される表示面の少なくとも一部を、前記後側識別情報用回転体の表示が視認可能な透光性部材で形成したことを特徴とする請求項１から３の何れか一項に記載の遊技機。
【請求項５】
前記前側識別情報用回転体を複数として前記複数の前側識別情報用回転体の支軸を同一方向とすると共に、前記後側識別情報用回転体の支軸と平行とすることを特徴とする請求項１から４の何れか一項に記載の遊技機。
【請求項６】
前記可変表示装置は、前記複数の識別情報用回転体の前記識別情報を視認可能な視認窓が形成されたカバー体を備え、前記カバー体で前記複数の識別情報用回転体が覆われていることを特徴とする請求項１から５の何れか一項に記載の遊技機。
【請求項７】
前記制御手段には判定開始条件の成立に起因して遊技の当たり外れを判定する当否判定手段を備え、前記前側識別情報用回転体と前記後側識別情報用回転体の何れか一方において前記当否判定手段の当否判定結果を示すことを特徴とする請求項１から６の何れか一項に記載の遊技機。
【請求項８】
前記前側識別情報用回転体の径を、前記後側識別情報用回転体の径よりも小にしたことを特徴とする請求項１から７の何れか一項に記載の遊技機。
【請求項９】
前記後側識別情報用回転体の支軸方向の幅は、前記前側識別情報用回転体の支軸方向の幅より大きいことを特徴とする請求項１から８の何れか一項に記載の遊技機。
【発明の詳細な説明】
【０００１】
【発明の属する技術分野】
本発明は、パチンコ遊技機等の遊技機に関する。
【０００２】
【従来の技術】
従来、パチンコ遊技機に代表される遊技機として、複数の識別情報がそれぞれ配列された複数の識別情報用回転体を遊技機の前面側に横一列に備えると共に前記複数の識別情報用回転体を駆動する駆動手段を備えた可変表示装置と、前記可変表示装置の制御手段を備えた遊技機がある。前記識別情報用回転体の駆動手段は、遊技状況に応じて回転スピードや回転方向等を変化させることによって前記識別情報用回転体の変動に変化を与え、遊技制御手段の制御に応じた演出を可能にしている。また、前記識別情報用回転体として、透明なリール体に複数のシンボルを配列した外リールと、前記外リール内で回転するようにされた内リールを備え、前記内リールの外周に設けられたシンボルが外リールを通して観察されるようにした内外二重リール構造のもの（以下、内外二重リール機種と記す。）も提案されている（特許文献１参照。）。
【０００３】
【特許文献１】
特開平４−１１４６７６号公報
【０００４】
【発明が解決しようとする課題】
【０００５】
しかし、従来の遊技機（内外二重リール機種とは異なる通常機種。）においては、遊技機の前面側に横一列に配置された複数の識別情報用回転体の識別情報を視認可能となっているだけであり、遊技者による識別情報用回転体に対する視野範囲は、前記遊技機の前面側に横一列に配置された複数の識別情報用回転体の前面のみであって奥行き感に欠けるため、前記識別情報用回転体を変動させる演出制御では、演出の自由度が少なく、遊技者は演出に慣れてきて物足りなさを感じるようになってきている。
【０００６】
また、従来の内外二重リール機種においては、遊技者による視野の範囲は、前記外リールのシンボルが設けられている前面側と前記外リールを通して視認される前記内リールの前面側部分となり、前記外リールの前面側部分と前記内リールの前面側部分とは距離的に近いため、従来の通常機種と同様に奥行き感に乏しく、前記内リールの存在によっても従来と殆ど変わらないもであった。したがって、前記内外二重リール機種においても、演出の自由さや新鮮さに欠けるものであり、遊技者が演出に物足りなさを感じるのを防ぐのが難しかった。
【０００７】
本発明はこのような状況に鑑みなされたもので、識別情報用回転体に対する遊技者の視野範囲を広げて奥行き感のある演出を可能にすると共に、前記識別情報用回転体に対する新たな変動制御による新規な演出によって、新鮮な遊技感覚を遊技者に付与し趣向性を向上させることのできる遊技機の提供を目的とする。
【０００８】
【課題を解決するための手段】
請求項１の発明は、複数の識別情報がそれぞれ配列された複数の識別情報用回転体と前記複数の識別情報用回転体を駆動する駆動手段とを備えた可変表示装置と、前記複数の識別情報用回転体の駆動手段を制御する制御手段とを備えた遊技機において、前記複数の識別情報用回転体を前後に配置すると共に、前側に配置された前側識別情報用回転体と後側に配置された後側識別情報用回転体の両方の識別情報が、前記遊技機前面側から視認可能となるようにしたことを特徴とする。
【０００９】
請求項２の発明は、請求項１において、前記前側識別情報用回転体を、前記後側識別情報用回転体よりも小さくして、前記遊技機前面側から前記前側識別情報用回転体の前記識別情報及び前記後側識別情報用回転体の前記識別情報の両方を視認可能にしたことを特徴とする。
【００１０】
請求項３の発明は、請求項１又は２において、前記駆動手段を前記複数の識別情報用回転体のそれぞれに備え、前記制御手段によって前記複数の識別用回転体をそれぞれ制御することを特徴とする。
【００１１】
請求項４の発明は、請求項１から３の何れか一項において、前記前側識別情報用回転体は、前記識別情報が配列される表示面の少なくとも一部を、前記後側識別情報用回転体の表示が視認可能な透光性部材で形成したことを特徴とする。
【００１２】
請求項５の発明は、請求項１から４の何れか一項において、前記前側識別情報用回転体を複数として前記複数の前側識別情報用回転体の支軸を同一方向とすると共に、前記後側識別情報用回転体の支軸と平行とすることを特徴とする。
【００１３】
請求項６の発明は、請求項１から５の何れか一項において、前記可変表示装置は、前記複数の識別情報用回転体の前記識別情報を視認可能な視認窓が形成されたカバー体を備え、前記カバー体で前記複数の識別情報用回転体が覆われていることを特徴とする。
【００１４】
請求項７の発明は、請求項１から６の何れか一項において、前記制御手段には判定開始条件の成立に起因して遊技の当たり外れを判定する当否判定手段を備え、前記前側識別情報用回転体と前記後側識別情報用回転体の何れか一方において前記当否判定手段の当否判定結果を示すことを特徴とする。
【００１５】
請求項８の発明は、請求項１から７の何れか一項において、前記前側識別情報用回転体の径を、前記後側識別情報用回転体の径よりも小にしたことを特徴とする。
【００１６】
請求項９の発明は、請求項１から８の何れか一項において、前記後側識別情報用回転体の支軸方向の幅は、前記前側識別情報用回転体の支軸方向の幅より大きいことを特徴とする。
【００１７】
【発明の実施の形態】
以下添付の図面に基づき本発明の好適な実施形態を説明する。図１は本発明の一実施例に係る遊技機全体の正面図、図２は同遊技機の遊技盤を示す正面図、図３は同遊技機の可変表示装置を示す斜視図、図４は同可変表示装置のカバー体及びその内部の識別情報用回転体を示す斜視図、図５は同可変表示装置のカバー体を除いた状態の正面図、図６は同可変表示装置のカバー体を除いた状態の右側斜視図、図７は同可変表示装置のカバー体を除いた状態の左側斜視図、図８は同可変表示装置の後側識別情報用回転体の識別情報の一例を示す図、図９は同遊技機の電気制御を簡略に示すブロック図である。
【００１８】
図１に示す本実施例の遊技機１は、遊技媒体として遊技球を用いるパチンコ遊技機であって、図２にも示すように、遊技盤３の縁に遊技球の外側ガイドレール４及び内側ガイドレール５が略円形に立設され、前記内側ガイドレール５によって囲まれた遊技領域６の中心線上にその上部から下部に向かって順に可変表示装置９、始動入賞口１０、特別電動役物である大入賞口１５、アウト口１７が配設され、また上方両側には左側ランプ風車１８ａと右側ランプ風車１８ｂ、前記左側ランプ風車１８ａの下方に普通図柄変動開始用ゲート１９、前記右側ランプ風車１８ｂの下方に普通図柄表示装置２１、それらの下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞品球として払い出される。なお、後に詳述する大当たりになると大入賞口１５が開放され、大入賞口１５に遊技球が入賞し易い大当たり遊技（通常遊技とは異なる特別遊技）が実行される。符号２２ａ，２２ｂは風車である。
【００１９】
また、前記遊技機１の前面側には、ランプ表示器３５、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を遊技領域６に向けて弾発発射する発射装置Ｈ等がそれぞれ組み付けられている。以下、所要の各部についてさらに詳述する。
【００２０】
前記可変表示装置９は、図３〜図７に示すように、複数の識別情報用回転体としての前側識別情報用回転体７１及び後側識別情報用回転体８１と、前記前側識別情報用回転体７１を駆動するための前側用駆動手段９１Ａ，９１Ｂ，９１Ｃと、前記後側識別情報用回転体８１を駆動するための後側用駆動手段１０１と、カバー体１１０とよりなる。
【００２１】
前記前側識別情報用回転体７１は、遊技者寄りの前側に配置されるもので、複数の前側識別情報用回転体で構成され、本実施例では、前記遊技機１の前面側に左右方向の横一列に配列される３個、すなわち左前側識別情報用回転体７１Ａ、中央前側識別情報用回転体７１Ｂ、右前側識別情報用回転体７１Ｃで構成されている。前記各前側識別情報用回転体７１Ａ，７１Ｂ，７１Ｃは、それぞれ同一径の円筒形からなり、その中心の支軸７２Ａ，７２Ｂ，７２Ｃは同一方向、この例では左右の横方向に一直線とされ、上下方向に回転可能とされている。また、前記各前側識別情報用回転体７１Ａ，７１Ｂ，７１Ｃの外周面ＦＡ，ＦＢ，ＦＣには所定中心角度間隔で絵模様や記号や数字やアルファベット等の識別情報（以下前側識別情報とも記す。）として特別図柄が配列表示されている。この例では、前記特別図柄として『０，１，２，３，４，５，６，７，８，９，１０，１１』が、前記各前側識別情報用回転体７１Ａ，７１Ｂ，７１Ｃの外周面ＦＡ，ＦＢ，ＦＣに配列表示されている。
【００２２】
前記各前側識別情報用回転体７１Ａ，７１Ｂ，７１Ｃの幅方向一端外周にはそれぞれ歯車７３Ａ，７３Ｂ，７３Ｃが設けられている。また、前記各前側識別情報用回転体７１Ａ，７１Ｂ，７１Ｃの側部には位置検出部７４Ａ，７４Ｂ，７４Ｃが設けられ、前記カバー体に固定される位置検出器によって、前記各前側識別情報用回転体７１Ａ，７１Ｂ，７１Ｃの原点位置を検出し、前記前側用駆動手段９１Ａ，９１Ｂ，９１Ｃの制御によって回転角度の調整ができるようになっている。本実施例の位置検出器はフォトセンサーが用いられている。
【００２３】
また、前記前側識別情報用回転体７１における前記特別図柄（前側識別情報）の表示面、すなわち外周面ＦＡ，ＦＢ、ＦＣは、少なくとも一部を透光性部材で構成して、前記後側識別情報用回転体８１の外周面に設けられる後述の識別情報を、遊技者が前記前側識別情報用回転体７１を通して視認可能としてもよい。例えば、前記左前側識別情報用回転体７１Ａ，前記中央前側識別情報用回転体７１Ｂ，前記右前側識別情報用回転体７１Ｃの少なくとも一つにおける外周面の少なくとも一部を無色透明又は着色透明等の透光性にして、前記後側識別情報用回転体８１の外周面に設けられる後述の識別情報を、遊技者が前側識別情報用回転体７１を通して視認できるようにすれば、前記前側識別情報用回転体７１及び前記後側識別情報用回転体８１の回転による識別情報の変動による演出効果を、さらに増大させることができる。
【００２４】
前記後側識別情報用回転体８１は、前記前側識別情報用回転体７１（７１Ａ，７１Ｂ、７１Ｃ）よりも後側（遊技者から離れる側）に、かつ前記前側識別情報用回転体７１の識別情報と前記後側識別情報用回転体８１に設けられる識別情報の両方が、前記遊技機１の前面側（遊技者側）から視認可能となるように配置されるもので、適宜の個数で構成される。本実施例の後側識別情報用回転体８１は、前記前側識別情報用回転体７１よりも大とされた１個の円筒体からなり、中心の支軸８２（本実施例では後述の後側駆動モータの回転駆動軸で兼用されている。）が前記左前側、中央前側、右前側識別情報用回転体７１Ａ，７１Ｂ，７１Ｃの支軸７２Ａ，７２Ｂ，７２Ｃと平行にされている。前記後側識別情報用回転体８１を前記前側識別情報用回転体７１よりも大にする方法としては、径あるいは支軸方向の幅の何れか一方又は両方を大にする方法がある。本実施例では、径の寸法と、支軸方向の幅の寸法と、両方について前記後側識別情報用回転体８１を、前記左前側識別情報用回転体７１Ａ、前記中央前側識別情報用回転体７１Ｂ、前記右前側識別情報用回転体７１Ｃのそれぞれよりも大に設定されている。
【００２５】
前記後側識別情報用回転体８１の外周面Ｓには所定中心角度間隔で絵模様や記号や数字やアルファベット等の識別情報（以下後側識別情報とも記す。）として背景図柄が配列表示されている。この例では、前記背景図柄（後側識別情報）として、図８に示すように空を飛行する飛行機の絵（８−Ａ）と、海上を航行する船の絵（８−Ｂ）と、海中を泳ぐ魚の絵（８−Ｃ）の３種類が前記後側識別情報用回転体８１の外周面Ｓに等間隔で設けられている。このように、前側識別情報用回転体の後に背景図柄として背景画を設けることによって、従来のような回転体で単に当否判定に係わる識別情報を表示するだけでなく、遊技機の遊技内容に合わせた背景画を使用することが可能となる。そのため、回転体を使用した遊技機において、個々に前側識別情報用回転体の図柄内容を変えるだけでなく、その遊技機に応じた特徴を背景画で表現することが可能となり、新たな感覚を遊技者に与え、新鮮な遊技演出を遊技者に与えることが可能となる。
【００２６】
前記後側識別情報用回転体８１の側部には位置検出部８４が設けられ、前記カバー体１１０に固定される位置検出器８５によって、前記後側識別情報用回転体８１の原点位置を検出し、前記後側用駆動手段１０１の制御によって回転角度の調整ができるようになっている。本実施例の位置検出器８５はフォトセンサーが用いられている。
【００２７】
前記前側用駆動手段９１Ａ，９１Ｂ，９１Ｃは、前記前側識別情報用回転体７１の回転を制御して前記特別図柄（前側識別情報）の変動停止を制御するためのもので、本実施例では前記左前側識別情報用回転体７１Ａの歯車７３Ａと噛み合う歯車９３Ａが駆動回転軸に取り付けられた左前側識別情報用回転体駆動モータ９４Ａ（左前側用駆動手段９１Ａ）と、前記中央前側識別情報用回転体７１Ｂの歯車７３Ｂと噛み合う歯車９３Ｂが駆動回転軸に取り付けられた左前側識別情報用回転体駆動モータ９４Ｂ（中央前側用駆動手段９１Ｂ）と、前記右前側識別情報用回転体７１Ｃの歯車７３Ｃと噛み合う歯車９３Ｃが駆動回転軸に取り付けられた左前側識別情報用回転体駆動モータ９４Ｃ（右前側用駆動手段９１Ｃ）で構成される。前記各駆動モータ９４Ａ，９４Ｂ，９４Ｃは、後述の制御手段により前記制御され、それぞれ対応する前記左前側識別情報用回転体７１Ａ、前記中央前側識別情報用回転体７１Ｂ、及び前記右前側識別情報用回転体７１Ｃの回転を制御する。
【００２８】
前記後側用駆動手段１０１は、前記後側識別情報用回転体８１の回転を制御して前記背景図柄（後側識別情報）の変動停止を制御するためのもので駆動モータからなり、本実施例においては回転駆動軸８２（前記後側識別情報用回転体８１の支軸との兼用）が、前記後側識別情報用回転体８１の側部中心に固着され、後述の制御手段により制御されて前記後側識別情報用回転体８１の回転を制御するようになっている。
【００２９】
前記カバー体１１０は、前記左前側識別情報用回転体７１Ａの特別図柄（前側識別情報）を視認可能な左前側用視認窓１１１Ａ、前記中央前側識別情報用回転体７１Ｂの特別図柄（前側識別情報）を視認可能な中央前側用視認窓１１１Ｂ、前記右前側識別情報用回転体７１Ｃの特別図柄（前側識別情報）を視認可能な右前側用視認窓１１１Ｃ、前記後側識別情報用回転体８１の背景図柄（後側識別情報）を視認可能な後側用視認窓１１１Ｄが前面に形成されたボックス形状からなり、前記左前側識別情報用回転体７１Ａ、前記中央前側識別情報用回転体７１Ｂ、前記右前側識別情報用回転体７１Ｃ及び前記後側識別情報用回転体８１を覆っている。さらに本実施例の前記カバー体１１０は、前記前側用駆動手段９１Ａ、９１Ｂ、９１Ｃ及び前記後側用駆動手段１０１を覆うように構成されている。
【００３０】
前記可変表示装置９は、前記前側識別情報用回転体７１（７１Ａ，７１Ｂ，７１Ｃ）及び前記後側識別情報用回転体８１の回転により、前記カバー体１１０の視認窓１１１Ａ〜１１１Ｄで特別図柄（前側識別情報）及び背景図柄（後側識別情報）を変動表示し、前記前側識別情報用回転体７１（７１Ａ，７１Ｂ，７１Ｃ）及び前記後側識別情報用回転体８１の回転停止により停止表示する。本実施例において前記前側識別情報用回転体７１は、遊技の当たり外れの当否判定結果を表示するものとされ、前記左前側用視認窓１１１Ａで変動停止表示された左特別図柄（左前側識別情報）、前記中央前側用視認窓１１１Ｂで変動停止表示された中特別図柄（中前側識別情報）、前記右前側用視認窓１１１Ｃで変動停止表示された右特別図柄（右前側識別情報）の組合せが大当たり図柄組合せの場合に大当たりであることを示し、その他の外れ図柄組合せの場合に外れを示す。
【００３１】
前記普通図柄表示装置２１は、普通図柄を変動表示及び停止表示可能な７セグメントＬＥＤ等で構成されている。本実施例における前記普通図柄表示装置２１に変動及び停止表示される普通図柄は、『０，１，２，３，４，５，６，７，８，９』の１０通りの図柄とされている。
【００３２】
前記始動入賞口１０は２つの可動片１０ａ，１０ｂが背面の始動入賞口用ソレノイドによって略垂直で入賞し難い狭小開放状態（通常状態）と略Ｖ字形（逆ハの字形）の入賞し易い拡開開放状態間を変化可能に制御されている。前記始動入賞口１０の拡開開放は、前記普通図柄表示装置２１で普通図柄が変動した後特定の普通図柄で確定停止表示されて小当たり（普通図柄当たり）が成立した時に行われる。
【００３３】
また、前記遊技盤３の背面には、始動入賞口１０に入賞した遊技球を検出する始動入賞口検出スイッチ（始動入賞口センサ）が入賞球用通路に設けられており、該入賞球の検出により前記可変表示装置９で識別情報の変動を開始するようになっている。前記可変表示装置９で識別情報の変動表示中に、前記始動入賞口１０に入賞して後記の判定開始条件が成立すると、直ちに新たな識別情報の変動表示を開始することができないため、識別情報の変動が保留されて記憶され、その識別情報の変動保留記憶数を、保留回数（この例では最高４回）として、前記可変表示装置９の下部に設けられているＬＥＤ等からなる識別情報変動数記憶表示器５１に表示し、識別情報の変動開始による保留記憶数の減少によって前記表示器５１の表示個数を減らすようになっている。
【００３４】
前記普通図柄変動開始用ゲート１９は、前記遊技盤３の背面に設けられた普通図柄変動開始スイッチで前記ゲート１９を通過する遊技球を検出することによって前記普通図柄表示部装置２１で普通図柄の変動を開始させるようになっている。また、前記普通図柄の変動表示中に、前記普通図柄変動開始用ゲート１９を遊技球が通過することによって発生する普通図柄の変動保留記憶数を、最高４回保留回数として記憶し、前記遊技盤３の右下に位置するＬＥＤ等からなる普通図柄変動数記憶表示器４７で表示し、普通図柄の変動開始による普通図柄の保留記憶数の減少によって前記普通図柄変動数記憶表示器４７の表示個数を減らすようになっている。さらにまた、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、それぞれ対応する遊技盤背面に設けられている。
【００３５】
前記大入賞口１５は始動入賞口１０の下方に設けられ、前記遊技盤３の背面に設けられた大入賞口開放用ソレノイドによって開閉する開閉板１６を備えている。この大入賞口１５は、通常は開閉板１６が閉じた状態とされ、当該大入賞口１５内の一部には、該入賞口１５が開いた際に開口して入賞可能にする特定領域入賞口６３を有する。さらに、該特定領域入賞口６３には、所定条件時に特定領域開放用ソレノイドにより開閉される開閉扉が設けられている。また、前記特定領域入賞口６３には特定入賞球を検出する特定入賞球検出スイッチ（特定領域センサ）が設けられ、該入賞球の検出により大入賞口１５を再度開ける継続権利が成立するようにされている。また、大入賞口１５内の略中央には、前記大入賞口１５に入賞し、かつ前記特定領域入賞口６３に入賞しなかった入賞球を検出する入賞球数カウントスイッチ（カウントセンサ）が設けられている。
【００３６】
前記発射装置Ｈは、操作レバーＨ１の操作により駆動する発射モータを裏側に有し、該発射モータの駆動により遊技球を弾発発射するようになっている。前記発射装置Ｈにより発射された発射球は、前記遊技盤面に立設された外側誘導レール４と内側誘導レール５間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口１７から遊技盤３の裏側へ排出される。なお、この例の遊技機１は、プリペイドカードユニットＵが接続されている。
【００３７】
また、前記遊技機１の裏側には、遊技を制御するための複数の制御装置が設けられている。図９のブロック図は前記遊技機の電気制御を簡略に示すものであり、主制御回路１４０及び表示制御回路１５０等によって遊技の制御が行われる。図９中の符号６５は賞球払出装置、６６は球貸装置である。
【００３８】
前記主制御回路１４０は、ＣＰＵ，ＲＡＭ，ＲＯＭ，複数のカウンタを備えたコンピュータと、該コンピュータと表示制御回路１５０等を結ぶ入出力回路と、前記コンピュータと大入賞口１５に接続される中継回路等を結ぶ入出力回路等で構成され、遊技の主制御を行う。前記ＣＰＵは、制御部，演算部，各種カウンタ，各種レジスタ，各種フラグ等を備え、演算制御を行う他、大当たりの発生や小当たり（始動入賞口１０の拡開開放を行う普通図柄当たり）の発生を定める乱数等も生成している。また、前記ＲＡＭは、始動入賞口検出スイッチの検出信号及び普通図柄変動開始スイッチの検出信号用の記憶領域，ＣＰＵで生成される各種乱数値用の記憶領域，各種データを一時的に記憶する記憶領域やフラグ，ＣＰＵの作業領域を備え、本発明の記憶手段に相当する。さらに、前記ＲＯＭには、遊技上の制御プログラムや制御データが書き込まれている他、後述する各遊技状態における大当たり及び小当たりの判定値等が書き込まれている。なお、前記主制御回路１４０は、前記表示制御回路１５０と共に前記可変表示装置９の前側用駆動手段９１Ａ，９１Ｂ，９１Ｃ及び後側用駆動手段１０１の制御を行っており、本発明における駆動手段の制御手段に相当する。
【００３９】
また、前記表示制御回路１５０は、副制御回路として機能し、ＣＰＵ，ＲＡＭ，ＲＯＭを備えたコンピュータと、該コンピュータと前記主制御回路１４０を結ぶ入力回路と、前記コンピュータと可変表示装置９及び普通図柄表示装置２１を結ぶ出力回路等で構成される。前記ＣＰＵは、内部に制御部，演算部，各種カウンタ，各種レジスタ，各種フラグ等を有し演算制御を行うようになっている。また、前記ＲＡＭは、各種データの記憶領域と前記ＣＰＵによる作業領域等を有している。さらに、前記表示制御回路１５０は、前記主制御回路１４０と共に、プログラムに従い前記可変表示装置９における前記前側用駆動手段９１Ａ，９１Ｂ，９１Ｃ及び前記後側用駆動手段１０１の制御を行っている。
【００４０】
なお、前記主制御回路１４０に設けられる複数のフラグとしては、本実施例では大当たりフラグＦ１、始動入賞口フラグＦ２、特別遊技実行中フラグＦ３、リーチフラグＦ４、確率変動フラグＦ５等が挙げられる。これらのフラグは、初期設定時には全て０にセットされる。
【００４１】
前記主制御回路１４０に設けられる複数のカウンタは、本実施例では表１に示すように、Ｃ１〜Ｃ８カウンタ及び適宜設けられるカウンタからなる。Ｃ１〜Ｃ８カウンタの作用については次に示す。
【００４２】
【表１】
2004283307.tif 000003
【００４３】
Ｃ１カウンタは、遊技の当たり外れを判定する当否判定手段に用いられ、前記遊技領域６に発射された遊技球の挙動に起因して大当たり及び外れを判定するのに使用される。このＣ１カウンタは、その数値Ｒ１が遊技機の電源投入時に‘０’から始まり、所定のリセット割り込み時間（例えば２．０００ｍｓ）ごとに１ずつ加算され、数値が‘３１４’になると、次に再び‘０’に戻って前記加算を繰り返すようになっている。Ｃ１カウンタの数値は、遊技球が始動入賞口１０に入賞して始動入賞口検出スイッチによって検出された時に取得され、予め決定されている大当たり数値、本実施例では平常時（低確率状態時、１／３１５の確率時）には‘７’，と対比され、後述の確率変動状態時（高確率状態時、７／３１５の確率時）には‘７’，‘５７’，‘１０７’，‘１５７’，‘２０７’，‘２５７’，‘３０７’と対比されて大当りか否か判断される。前記Ｃ１カウンタの取得数値（更新取得数値）は、最大４個まで前記主制御回路１４０のＲＡＭにおける該当する記憶領域に記憶され、順次判定に供される。
【００４４】
Ｃ２カウンタは、大当たり時、前記可変表示装置９の左前側用視認窓１１１Ａ、中央前側用視認窓１１１Ｂ、右前側用視認窓１１１Ｃに停止して揃う大当たり図柄組合せ（大当たり識別情報の組合せ）を決定するのに使用される。このＣ２カウンタは、その数値Ｒ２が電源投入時に‘０’から始まって前記リセット割り込み時間毎に‘１’ずつ加算され、‘１１’に至ると次に再び‘０’に戻る繰り返しを行う。このＣ２カウンタの数値は、前記始動入賞口１０の入賞球が始動入賞口検出スイッチによって検出された時に取得され、最大４個まで前記主制御回路１４０のＲＡＭに記憶される。前記Ｃ２カウンタの数値には、各数値に対応する大当たり図柄組合せが予め割り当てられている。本実施例においては、前記Ｃ２カウンタの取得数値が‘１’のときは大当たり図柄組合せが『１，１，１』（いわゆる‘１’のぞろ目）となる等、Ｃ２カウンタの取得数値がそのまま大当たり図柄組合せにおける図柄として割り当てられている。さらに、本実施例では、大当り成立時における大当り図柄組合せが確変図柄である‘１’、‘３’、‘５’、‘７’、‘９’、‘１１’の何れかのぞろ目であるときには、大当り（特別遊技状態）の発生に加えて、大当り終了後に確率変動が生じ、次回の大当り発生確率が平常時における通常遊技状態（低確率状態、１／３１５の確率）よりも高い確率変動状態（高確率状態、７／３１５の確率）に移行し、次回の大当りまで高確率状態が継続するようになっている。また、大当り成立時における大当り図柄組合せが通常図柄である‘０’、‘２’、‘４’、‘６’、‘８’、‘１０’の何れかのぞろ目であるときには、大当り終了後、通常遊技状態（低確率状態、１／３１５の確率）とされ、次回の大当りまで低確率状態が継続するようになっている。
【００４５】
Ｃ３〜Ｃ５カウンタは、前述した当否の判定による外れ時、前記可変表示装置９の左前側用視認窓１１１Ａ、中央前側用視認窓１１１Ｂ、右前側用視認窓１１１Ｃに確定停止表示する外れ図柄の決定に使用される。前記Ｃ３カウンタは左前側用視認窓１１１Ａ、Ｃ４カウンタは中央前側用視認窓１１１Ｂ、Ｃ５カウンタは右前側用視認窓１１１Ｃで停止表示される特別図柄（前側識別情報）に対応し、それぞれ‘０’〜‘１１’の数値で構成される。そして、前記Ｃ３カウンタは、その数値Ｒ３が電源投入時に‘０’から始まり、前記Ｃ２カウンタの数値が加算の繰り返しによって‘１１’から再び‘０’に戻る際に‘１’ずつ加算されるようになっている。また、Ｃ４及びＣ５カウンタについては、前記Ｃ３カウンタの数値がその加算の繰り返しによって‘１１’まで増加し再び‘０’に戻る際にＣ４カウンタの数値Ｒ４が‘１’ずつ加算され、その加算の繰り返しによってＣ４カウンタの数値が‘１１’まで増加し再び‘０’に戻る際にＣ５カウンタの数値Ｒ５が‘１’ずつ加算されるようになっている。これによって、Ｃ２〜Ｃ５カウンタが同期（同一の組合せで加算）するのを避けることができる。なお、Ｃ５カウンタについても、加算の繰り返しによって数値が‘１１’に至ると再び‘０’に戻るようになっている。
【００４６】
前記Ｃ３〜Ｃ５カウンタの各数値には、対応する図柄（識別情報）が予め割り当てられている。実施例においては、前記各カウンタの取得数値が‘１’のときは外れ図柄が『１』となる等、各カウンタの取得数値がそのまま外れ図柄（外れ識別情報）として割り当てられている。そして、後記の確定停止図柄決定処理時に取得されるＣ３〜Ｃ５カウンタの取得数値の組合せによって、外れ時に可変表示装置９の左前側用視認窓１１１Ａ、中央前側用視認窓１１１Ｂ、右前側用視認窓１１１Ｃに表示される確定停止図柄の組合せ（確定停止識別情報の組合せ）が定まる。また、Ｃ３〜Ｃ５カウンタの取得数値は、前記主制御回路１４０におけるＲＡＭの記憶領域に所定数、この例では、最大４個まで記憶される。
【００４７】
Ｃ６カウンタは、複数の変動態様の中から前記可変表示装置９で演出表示する変動態様を選択決定するのに用いられる。前記Ｃ６カウンタは、その数値Ｒ６が電源投入時に‘０’から始まって前記リセット割り込み時間毎に‘１’ずつ加算され、‘４９’に至ると次に再び‘０’に戻る繰り返しを行う。前記Ｃ６カウンタの数値は、後記の変動態様決定処理時に取得され、最大４個まで前記主制御回路１４０のＲＡＭに記憶される。
【００４８】
前記Ｃ６カウンタの取得数値は、予め設定されている変動態様選択決定用数値と対比されて、前記変動態様選択決定用数値に割り当てられている変動態様の選択決定に用いられる。前記複数の変動態様は、前記可変表示装置９における前記前側識別情報用回転体７１の特別図柄（前側識別情報）及び前記後側識別情報用回転体８１の背景図柄（後側識別情報）の変動（回転）時間及び変動（回転）速度等がそれぞれ異なっている。本実施例では、前記変動態様として変動態様１〜７の７種類が設定されている。なお、変動態様１は変動時間５秒、変動態様２は変動時間１０秒、変動態様３は変動時間２０秒、変動態様４は変動時間３０秒、変動態様５は変動時間１２秒、変動態様６は変動時間２２秒、変動態様７は変動時間３２秒に設定されている。また、前記変動態様１を除く変動態様２〜７についてはリーチ状態を伴うようになっている。前記リーチ状態は、前記特別図柄（前側識別情報）が変動表示開始された後、確定停止表示される前段階において、特定の図柄態様、つまり大当たりの組合せが表示されやすい可変表示態様になったと遊技者に思わせる状態をいう。本実施例におけるリーチ状態は、前記可変表示装置９において、最終停止特別図柄を表示する中央前側用視認窓１１１Ｂだけを残して、残りの左前側用視認窓１１１Ａと右前側用視認窓１１１Ｃで特別図柄が同一図柄となるように停止する表示態様となっている。
【００４９】
さらに、本実施例では、前記変動態様２と変動態様７については、最終停止特別図柄となる中特別図柄（中央前側識別情報用回転体７１Ｂ）が、前記リーチ後に高速回転し、その後徐々に回転速度を落として停止するように設定されると共に、前記特別図柄の回転時に前記背景図柄（後側識別情報用回転体８１）も回転し、前記最終停止特別図柄である中特別図柄が停止する前に停止して、前記後側用視認窓１１１Ｄから、図８の８−Ｂに示した海上背景図柄が視認できるように設定されている。
【００５０】
それに対し前記変動態様３と変動態様６については、最終停止特別図柄となる中特別図柄（中央前側識別情報用回転体７１Ｂ）が、前記リーチ後に高速回転し、その後徐々に回転速度を落として、前記中央前側用視認窓１１１Ｂをリーチ図柄（左特別図柄と右特別図柄と同一の図柄）が通過したら逆回転し、その後停止するように設定されると共に、前記特別図柄の回転時に前記背景図柄（後側識別情報用回転体８１）も回転し、前記最終停止特別図柄である中特別図柄が停止する前に停止して、前記後側用視認窓１１１Ｄから、図８の８−Ｃに示した海中背景図柄が視認できるように設定されている。
【００５１】
一方、前記変動態様４と変動態様５については、最終停止特別図柄となる中特別図柄（中央前側識別情報用回転体７１Ｂ）が、前記リーチ後に高速回転し、その後徐々に回転速度を落として、前記中央前側用視認窓１１１Ｂをリーチ図柄（左特別図柄と右特別図柄と同一の図柄）が通過したら逆回転と正回転を繰り返し、その後停止するように設定されると共に、前記特別図柄の回転時に前記背景図柄（後側識別情報用回転体８１）も回転し、前記最終停止特別図柄である中特別図柄が停止する前に停止して、前記後側用視認窓１１１Ｄから、図８の８−Ａに示した空中背景図柄が視認できるように設定されている。
【００５２】
また、本実施例では、当否判定手段の判定結果（Ｃ１カウンタを用いる判定結果）が当たりであるか外れであるかによって、Ｃ６カウンタの取得数値と対比させる変動態様選択決定用数値を変化させている。具体的には、以下のようになっている。
【００５３】
当否判定結果が外れであってリーチ状態を伴う場合、Ｃ６カウンタの取得数値が‘０’〜‘２９’のときはリーチ有り外れの変動態様２（停止背景図柄：海上背景図柄、図８の８−Ｂ）、Ｃ６カウンタの取得数値が‘３０’〜‘４４’のときはリーチ有り外れの変動態様３（停止背景図柄：海中背景図柄、図８の８−Ｃ）、Ｃ６カウンタの取得数値が‘４５’〜‘４９’のときはリーチ有り外れの変動態様４（停止背景図柄：空中背景図柄、図８の８−Ａ）となるように、前記変動態様決定用数値が設定されている。
【００５４】
それに対し当否判定手段の判定結果が当たりである場合、Ｃ６カウンタの取得数値が‘０’〜‘９’のときはリーチ有り当たりの変動態様５（停止背景図柄：空中背景図柄、図８の８−Ａ）、Ｃ６カウンタの取得数値が‘１０’〜‘３４’のときはリーチ有り当たりの変動態様６（停止背景図柄：海中背景図柄、図８の８−Ｃ）、Ｃ６カウンタの取得数値が‘３５’〜‘４９’のときはリーチ有り当たりの変動態様７（停止背景図柄：海上背景図柄、図８の８−Ｂ）となるように、前記変動態様決定用数値が設定されている。なお、大当たりの場合には必ずリーチ状態を経る。
【００５５】
また、本実施例では前記のようにＣ６カウンタの取得数値Ｒ６を利用して、判定結果が大当たりの場合と外れの場合とで、前記後側用視認窓１１１Ｄに視認可能に停止する背景図柄（後側識別情報）の種類（前記８−Ａの空中背景図柄、前記８−Ｂの海上背景図柄、前記８−Ｃの海中背景図柄）について、背景図柄の種類毎に確率が異ならせてあり、前記後側用視認窓１１１Ｄに視認可能に停止した背景図柄の種類によって、信頼度すなわち前記判定結果が大当たりとなる可能性の高低を遊技者に知らせるようになっている。前記の例では、視認可能に停止した背景図柄が、海上背景図柄＜海中背景図柄＜空中背景図柄、の順に信頼度（当たりの可能性）が高くなっている。
【００５６】
Ｃ７カウンタは、リーチ有無決定用に用いられる。前記Ｃ７カウンタは、その数値Ｒ７が電源投入時に‘０’から始まって前記リセット割り込み時間毎に‘１’ずつ加算され、‘３９’に至ると次に再び‘０’に戻る繰り返しを行う。前記Ｃ７カウンタの数値は、後記のリーチ決定処理時に取得され、最大４個まで前記主制御回路１４０のＲＡＭに記憶される。前記Ｃ７カウンタの取得数値は、予め設定されているリーチ決定用数値、本実施例では‘１０’，‘３０’と対比されて、リーチ決定用数値と一致する場合にリーチ有りと決定される。なお、本実施例においては、大当たりの場合、必ずリーチ状態を経るため、前記Ｃ７カウンタの取得数値は利用されない。
【００５７】
Ｃ８カウンタは、前記普通図柄表示装置２１に確定停止表示する普通図柄を決定するとともに小当たり（普通図柄の当たり）及び外れを判定する小当たり判定及び普通図柄決定用のものである。前記Ｃ８カウンタは、その数値Ｒ８が電源投入時に‘０’から始まって前記リセット割り込み時間毎に‘１’ずつ加算され、‘９’に至った後、再び‘０’から始まって加算が繰り返される。このカウンタの数値は、普通図柄変動開始用ゲート１９を通過した遊技球を普通図柄変動開始スイッチで検出する毎に取得され、最大４個が前記主制御回路１４０のＲＡＭの記憶領域に記憶され、順次判定に供される。
【００５８】
前記Ｃ８カウンタの数値には、各数値に対応する普通図柄が予め割り当てられている。本実施例においては、Ｃ８カウンタの取得数値が‘１’のときは普通図柄表示装置２１に確定停止表示する普通図柄が『１』となる等、カウンタの取得数値がそのまま確定停止表示される普通図柄として割り当てられている。なお、本実施例では、前記普通図柄の変動開始から確定停止するまでに要する時間は１１．８秒となっている。
【００５９】
さらに、本実施例では、前記Ｃ８カウンタの取得数値が奇数の場合、小当たりとなり、前記始動入賞口１０の拡開開放が行われる。この始動入賞口１０の拡開開放は、拡開開放の間に始動入賞口１０への入賞球数が６個に達するか、或いは拡開開放時間が０．４秒経過するかの何れかの条件が成立したときに終了されるようになっている。
【００６０】
ここで、前記遊技機１が行う遊技について説明する。前記遊技機１では、前記発射装置Ｈにより遊技領域６へ向けて発射された遊技球が、前記種々の入賞口に入賞すると所定数の遊技球が賞品球として上側球受け皿３６に払い出される。また、前記普通図柄変動開始用ゲート１９を遊技球が通過し、その遊技球が前記普通図柄変動開始スイッチで検出されると、前記主制御回路１４０へ検出信号が送られ、それに伴って、主制御回路１４０の小当たり判定・普通図柄決定用Ｃ８カウンタの数値（Ｒ８）が取得され、その取得数値が主制御回路１４０のＲＡＭの普通図柄数値記憶領域に一旦記憶される。そして、当該記憶された数値に基づいて普通図柄の当たり（小当たり）の判定が行われ、当たりの場合には、前記普通図柄表示装置２１で普通図柄が変動を開始し、小当たりを示す普通図柄で停止すると（この例では奇数で停止すると）、始動入賞口１０が入賞領域拡大状態になり、遊技球が入賞し易くなる。そして、前記始動入賞口１０に遊技球が入賞すると、所定数の遊技球が賞品球として払い出される。なお、前記主制御回路１４０の記憶領域に記憶されたＣ８カウンタの取得数値は、順次読み出されて普通図柄の当たり判定に使用され、使用後の数値は前記ＲＡＭから削除される。
【００６１】
また、前記始動入賞口１０に遊技球が入賞し、始動入賞口検出スイッチによって入賞球が検出されると、前記主制御回路１４０へ入賞信号が送られ、主制御回路１４０の大当たり判定用Ｃ１カウンタ，大当たり図柄組合せ決定用Ｃ２カウンタ，外れ時における左前側用視認窓の左特別図柄決定用Ｃ３カウンタ，外れ時における中央前側用視認窓の中特別図柄決定用Ｃ４カウンタ，外れ時における右前側用視認窓の右特別図柄決定用Ｃ５カウンタ、変動態様選択決定用Ｃ６カウンタ、リーチ有無決定用Ｃ７カウンタ等の各種数値（Ｒ１〜Ｒ７）が所定の時期に取得される。そして、取得された各数値に基づいて大当たりの判定、停止特別図柄組合せの決定、変動態様の決定、リーチの有無等が行われる。
【００６２】
前記Ｃ１〜Ｃ７カウンタの取得数値及びその取得数値に基づいて決定された大当たりの判定、停止特別図柄組合せ、変動態様、リーチの有無等は、前記始動入賞口検出スイッチによる入賞球の検出順に最大４個が、前記主制御回路１４０のＲＡＭに一旦記憶され、前記始動入賞口検出スイッチによる入賞球の検出順に前記主制御回路１４０のＲＡＭから読み出される。そして前記可変表示装置９で前記左前側識別情報用回転体７１Ａ、前記中央前側識別情報用回転体７１Ｂ、前記右前側識別情報用回転体７１Ｃ及び前記後側識別情報用回転体８１がそれぞれ回転を開始し、それによって前記左前側用視認窓１１１Ａでは左特別図柄、前記中央前側用視認窓１１１Ｂでは中特別図柄、前記右前側用視認窓１１１Ｃでは右特別図柄、前記後側用視認窓１１１Ｄでは背景図柄の変動表示が開始される。
【００６３】
前記特別図柄及び背景図柄の変動開始から所定時間（前記選択された変動態様で定められている時間）変動後、前記可変表示装置９で前記左前側識別情報用回転体７１Ａ、前記中央前側識別情報用回転体７１Ｂ、前記右前側識別情報用回転体７１Ｃ及び前記後側識別情報用回転体８１が停止して、停止特別図柄が前記左前側用視認窓１１１Ａ、前記中央前側用視認窓１１１Ｂ及び前記右前側用視認窓１１１Ｃに確定停止表示されると共に前記後側用視認窓１１１Ｄで背景図柄が確定停止表示される。その際、この例では、前記左前側識別情報用回転体７１Ａの左特別図柄、前記右前側識別情報用回転体７１Ｃの右特別図柄、前記中央前側識別情報用回転体７１Ｂの中特別図柄の順で変動停止して、停止特別図柄（前側識別情報）が、前記左前側用視認窓１１１Ａ、前記中央前側用視認窓１１１Ｂ及び前記右前側用視認窓１１１Ｃに確定表示される。
【００６４】
前記特別図柄及び背景図柄の変動開始から確定停止までの間、遊技者は、遊技者に近い前記前側識別情報用回転体７１の特別図柄（前側識別情報）と、遊技者から遠い前記後側識別情報用回転体８１の背景図柄（後側識別情報）の両方が前記変動態様にしたがって変動するのを見ることができるため、遠近感のある新鮮な演出を楽しむことができる。しかも、遊技者に近い前記前側識別情報用回転体７１における特別図柄（前側識別情報）の変動と、遊技者から遠い前記後側識別情報用回転体８１における背景図柄（後側識別情報）の変動をそれぞれ制御することにより、変化に富んだ演出が可能になる。
【００６５】
前記左前側用視認窓１１１Ａ、前記中央前側用視認窓１１１Ｂ及び前記右前側用視認窓１１１Ｃに停止表示された特別図柄が、大当たり図柄組合せ決定用Ｃ２カウンタの取得数値に従う大当たり停止特別図柄組合せ、この例ではぞろ目になると、大当たりになり、特別遊技状態に移行する。前記特別遊技状態になると、前記大入賞口１５の開閉板１６が開いて遊技領域６の表面を落下してくる遊技球を受け止め、大入賞口１５へ入賞可能にし、該大入賞口１５への入賞があると、前記賞球払出装置６５により所定数の遊技球が賞品球として払い出される。前記開閉板１６は、所定時間（例えば２９．５秒）経過後、或いは入賞球数カウントスイッチで検出された入賞球数が所定個数（例えば１０個）となった時点で閉じるようにされている。
【００６６】
前記大入賞口１５の開放中又は大入賞口１５が閉じてから約２秒以内に、前記特定領域入賞口への入賞球を特定入賞球検出スイッチが検出すると、前記大当たりを再度繰り返す継続権利が発生し、所定最高回数（例えば最高１６回）、前記開閉板１６の開放を繰り返すようになっている。
【００６７】
前記大当たりの際に、前記大当たり停止特別図柄組合せが確変図柄である‘１’、‘３’、‘５’、‘７’、‘９’、‘１１’の何れかの奇数のぞろ目であるときには、大当たり終了後に、次回の大当たり発生確率が通常遊技状態（低確率状態、１／３１５）よりも高い確率変動状態（高確率状態、７／３１５）に移行する。
【００６８】
また、前記確率変動状態（高確率状態）時に普通図柄が当たりとなると、前記始動入賞口１０の入賞領域拡大回数を通常の１回から３回に増大させると共に、入賞領域拡大時間を通常の０．３秒から１．７秒に増加させる。
【００６９】
次に、前記遊技を制御する主制御回路１４０が実行する処理について詳述する。前記主制御回路１４０のＣＰＵは、所定のリセット割り込み時間（この例では２．０ｍｓ）ごとに、前記主制御回路１４０のＲＯＭに記憶されている各プログラムに従いメイン処理Ｍを行う。図１０はメイン処理Ｍのフローチャートである。
【００７０】
メイン処理Ｍでは、まず今回電源が投入されたか否か判断され（Ｓ１０）、今回電源投入された場合には、初期設定処理（Ｓ２０）が行われる。
【００７１】
初期設定処理（Ｓ２０）では、スタックの設定、リセット割り込み時間（この例では２ｍｓｅｃ）の設定、ＣＰＵの設定、ＳＩＯ、ＰＩＯ、ＣＴＣの設定等が行われる。このメイン処理Ｍはリセット割り込み時間ごとに繰り返し行われるが、初期設定処理（Ｓ２０）については、電源投入時のみに必要な処理であり、最初の１巡目のみに実行され、その後は実行されずに次の出力処理（Ｓ３０）に移る。
【００７２】
出力処理（Ｓ３０）では、前記主制御回路１４０におけるコマンドバッファ（図示せず）に出力コマンドデータがある場合、その出力コマンドデータが、対応する副制御回路（例えば表示制御回路等）等へ出力される。
【００７３】
入力処理（Ｓ４０）では、各種のセンサが信号を感知した場合の入力処理が行われる。前記センサには、前記普通図柄変動開始用ゲート１９の遊技球通過を検出する普通図柄変動開始スイッチ（普通図柄センサ）、前記始動入賞口１０に入賞した遊技球を検出する始動入賞口検出スイッチ（始動入賞口センサ）、前記大入賞口１５における入賞球を検出する入賞球数カウントスイッチ（カウントセンサ）、前記特定入賞球検出スイッチ（特定領域センサ）等を挙げることができる。特に、前記始動入賞口検出スイッチに関しては、図１１に示すように、この入力処理（Ｓ４０）において、始動入賞口検出スイッチによる遊技球の検出があったか否か判断され（Ｓ４１）、検出された場合、すなわち始動入賞口１０に入賞があった場合には始動入賞口フラグＦ２が１にセットされる（Ｓ４２）。
【００７４】
乱数更新処理（Ｓ５０）では、前記各カウンタの数値に対して更新が繰り返される。この乱数更新処理（Ｓ５０）は、前記メイン処理Ｍの実行毎に必ず１回行われる。図１２は、前記乱数更新処理（Ｓ５０）のフローである。この乱数更新処理（Ｓ５０）では、まず、各カウンタ（Ｃ３〜Ｃ５カウンタを除く。）の各数値Ｒｎ（ｎ＝１〜２，６〜８）が前記所定時間ごとに１ずつ加算され（Ｓ５１）、前記各数値Ｒｎが所定最大値Ｘに至ると次に再び‘０’に戻る繰り返しを行う（Ｓ５２，Ｓ５３）。そして、各カウンタの更新数値が主制御回路１４０のＲＡＭの各カウンタと対応する乱数記憶エリアにそれぞれ一旦記憶される（Ｓ５４）。図６中における『Ｒｎ’』は、加算される前の各カウンタの数値を意味する。なお、Ｃ３〜Ｃ５カウンタについては、前述したようにＣ２カウンタと関連したタイミングで数値が加算され、前記ＲＡＭの乱数記憶エリアにそれぞれ記憶されるようになっている。
【００７５】
乱数取得処理（Ｓ６０）では、図１３に示すように、前記始動入賞口１０へ遊技球が入賞したか（Ｆ２＝１）否か確認され（Ｓ６１）、入賞の場合には始動入賞口フラグＦ２が‘０’にセットされ（Ｓ６２）、続いて前記乱数更新処理（Ｓ５０）で更新された各種更新乱数値（Ｒ１〜Ｒ８）の中から大当たり判定用Ｃ１カウンタの数値Ｒ１と大当たり図柄組合せ決定用Ｃ２カウンタの数値Ｒ２が取得されると共にその取得乱数値が前記主制御回路１４０のＲＡＭに記憶される。一方、前記Ｓ６１で始動入賞口への入賞がなかったと判断されると、この乱数取得処理（Ｓ６０）は直ちに終了される。なお、その他の乱数値については、後述の所定時点で取得される。また、前記小当たり判定・普通図柄決定用Ｃ８カウンタの数値Ｒ８については、前記普通図柄変動開始用ゲート１９を遊技球が通過して普通図柄変動開始スイッチで検出された時に取得される。
【００７６】
前記乱数取得処理（Ｓ６０）の後、判定開始条件が成立しているか否かが確認される（Ｓ７０）。前記判定開始条件が成立しているとは、現在特別遊技実行中ではない、或いは特別図柄変動中（前記前側識別図柄用回転体７１の回転中）ではないことをいう。そして、前記判定開始条件成立と判断された場合には、大当たり当否判定処理（Ｓ８０）、リーチ有無決定処理（Ｓ９０）、確定停止図柄決定処理（Ｓ１００）、変動態様決定処理（Ｓ１２０）、特別遊技実行処理（Ｓ１４０）等が実行される。一方、前記Ｓ７０で判定開始条件不成立と判断された場合には、特別遊技実行処理（Ｓ１４０）へジャンプする。
【００７７】
大当たり当否判定処理（Ｓ８０）では、図１４に示すように、まず、確率変動フラグＦ５が１か否か確認され（Ｓ８１）、該確率変動フラグＦ５が１ではなく０の場合、すなわち低確率状態時（１／３１５）では、前記大当たり判定用Ｃ１カウンタの取得乱数値Ｒ１が大当たり数値である‘７’と対比され（Ｓ８２）、前記取得乱数値Ｒ１が前記大当たり数値‘７’であれば大当たりとなり、大当たりフラグＦ１が１にセットされると共に、該大当たりフラグＦ１（＝１）が主制御回路１４０のＲＡＭ内に格納される（Ｓ８３）。一方、前記確率変動フラグＦ５が１の場合、すなわち高確率状態時（７／３１５）では、前記取得乱数値Ｒ１が大当たり数値である‘７’，‘５７’，‘１０７’，‘１５７’，‘２０７’，‘２５７’，‘３０７’と対比され（Ｓ８４）、前記取得乱数値Ｒ１が前記大当たり数値の何れかと一致すれば大当たりとなり、大当たりフラグＦ１が１にセットされると共に、該大当たりフラグＦ１（＝１）が主制御回路１４０のＲＡＭ内に記憶される（Ｓ８３）。また、前記Ｓ８２あるいはＳ８４で、前記取得乱数値Ｒ１が大当たり数値と一致しない場合、すなわち外れの場合には、前記大当たりフラグＦ１が０にセットされるとともに、該大当たりフラグＦ１（＝０）が主制御回路１４０のＲＡＭに記憶される（Ｓ８５）。なお、前記大当たり当否判定処理は、本発明の当否判定手段に相当する。
【００７８】
リーチ有無決定処理（Ｓ９０）では、前記前側識別情報用回転体７１の特別図柄（前側識別情報）でリーチ変動を行うか否かの決定がなされる。図１５に示すように、このリーチ有無決定処理（Ｓ９０）では、大当たりフラグＦ１が１か否か確認され（Ｓ９１）、大当たりフラグＦ１が１ではなく０、つまり大当たり不成立となる場合、前記リーチ有無決定用Ｃ７カウンタの更新乱数値Ｒ７が読み出されて取得され（Ｓ９２）、その取得乱数値Ｒ７が‘１０’又は‘３０’であるか否か判断される（Ｓ９３）。そして、前記取得乱数値Ｒ７が‘１０’又は‘３０’ではない場合、リーチなしに決まり、このリーチ有無決定処理（Ｓ９０）は終了する。一方、前記取得乱数値Ｒ７が‘１０’又は‘３０’である場合（Ｓ９３）、リーチ有りに決定され、リーチフラグＦ４が１にセットされると共に、該リーチフラグＦ４（＝１）が主制御回路１４０のＲＡＭ内に格納される（Ｓ９４）。また、前記Ｓ９１で大当たりフラグＦ１が１の場合、つまり大当たり（特別遊技実行可）となる場合、リーチ有りと決定され、リーチフラグＦ４が１にセットされると共に、該リーチフラグＦ４（＝１）が主制御回路１４０のＲＡＭ内に格納される（Ｓ９４）。
【００７９】
確定停止図柄決定処理（Ｓ１００）では、前記大当たり当否判定処理（Ｓ８０）に基づき前記可変表示装置９の前記左前側用視認窓１１１Ａ、前記中央前側用視認窓１１１Ｂ、前記右前側用視認窓１１１Ｃに確定（最終）停止表示する特別図柄（前側識別情報）の決定が行われる。図１６に示すように、この確定停止図柄決定処理（Ｓ１００）では、まず、前記大当たりフラグＦ１の値が１か否か確認される（Ｓ１０１）。Ｆ１の値が１と判断された場合、すなわち大当たり（特別遊技実行可）となる場合、前記大当たり図柄組合せ決定用Ｃ２カウンタの記憶取得乱数値Ｒ２が読み出され、その記憶取得乱数値Ｒ２に対して予め決められている図柄の組合せが、前記可変表示装置９の前記左前側用視認窓１１１Ａ、前記中央前側用視認窓１１１Ｂ、前記右前側用視認窓１１１Ｃに確定停止表示される確定大当たり図柄組合せ（図柄態様）として決定される（Ｓ１０２）。
【００８０】
それに対して、前記Ｓ１０１で大当たりフラグＦ１の値が１でない、すなわち前記値が０と確認され、外れと判定された場合には、前記Ｃ３〜Ｃ５カウンタの更新乱数値Ｒ３〜Ｒ５が取得され、その取得乱数値Ｒ３〜Ｒ５が一致するか否か判断され（Ｓ１０３）、取得乱数値Ｒ３〜Ｒ５が一致する場合、続いてリーチ有り（リーチ外れ）か否か、ここでは前記リーチフラグＦ４が１か否か確認される（Ｓ１０４）。そして、リーチありと判断された場合、前記Ｃ４カウンタ（中特別図柄用）の取得乱数値Ｒ４を１加算し、その値とＣ３，Ｃ５カウンタ取得乱数値Ｒ３，Ｒ５に対して予め決められている図柄が、前記可変表示装置９の前記左前側用視認窓１１１Ａ、前記中央前側用視認窓１１１Ｂ、前記右前側用視認窓１１１Ｃに確定停止表示される外れ図柄として決定される（Ｓ１０５）。一方、前記Ｓ１０４で、リーチなしと判断された場合、前記Ｃ５カウンタ（右特別図柄用）の取得乱数値Ｒ５を１加算し、その値とＣ３，Ｃ４カウンタの取得乱数値Ｒ３，Ｒ４に対して予め決められている図柄が各表示領域に確定停止表示される外れ図柄として決定される（Ｓ１０６）。
【００８１】
また、前記Ｓ１０３で、Ｃ３〜Ｃ５カウンタの取得乱数値Ｒ３〜Ｒ５の内、少なくとも１つが異なる数値となる場合には、Ｃ３カウンタの取得乱数値Ｒ３とＣ５カウンタの取得乱数値Ｒ５が一致するか否か判断され（Ｓ１０７）、両値が一致する場合、さらにリーチ有りか否か判断される（Ｓ１０８）。そして、リーチなしの場合、前記Ｃ５カウンタの取得乱数値Ｒ５を１加算し、その値とＣ３，Ｃ４カウンタの取得乱数値Ｒ３，Ｒ４に対して予め決められている図柄が前記可変表示装置９の前記左前側用視認窓１１１Ａ、前記中央前側用視認窓１１１Ｂ、前記右前側用視認窓１１１Ｃに確定停止表示される外れ図柄として決定される（Ｓ１０６）。一方、リーチ有りの場合、Ｃ３〜Ｃ５カウンタの取得乱数値Ｒ３〜Ｒ５に対して予め決められている図柄が前記可変表示装置９の前記左前側用視認窓１１１Ａ、前記中央前側用視認窓１１１Ｂ、前記右前側用視認窓１１１Ｃに確定停止表示される外れ図柄として決定される（Ｓ１０９）。
【００８２】
さらに、前記Ｓ１０７でＣ３カウンタの取得乱数値Ｒ３とＣ５カウンタの取得乱数値Ｒ５が一致しない場合、続いてリーチ有りか否か判断される（Ｓ１１０）。そして、リーチなしと判断された場合、Ｃ３〜Ｃ５カウンタの取得乱数値Ｒ３〜Ｒ５に対して予め決められている図柄が前記可変表示装置９の前記左前側用視認窓１１１Ａ、前記中央前側用視認窓１１１Ｂ、前記右前側用視認窓１１１Ｃに確定停止表示される外れ図柄として決定される（Ｓ１０９）。一方、リーチ有りの場合、前記Ｃ５カウンタの取得乱数値Ｒ５を強制的にＣ３カウンタの取得乱数値Ｒ３と同一数値に変更し、かつＣ４カウンタの取得乱数値Ｒ４を強制的に前記Ｃ３カウンタの取得乱数値Ｒ３に１加算した数値に変更し、それらの数値とＣ３カウンタの取得乱数値Ｒ３に対して予め決められている図柄が前記可変表示装置９の前記左前側用視認窓１１１Ａ、前記中央前側用視認窓１１１Ｂ、前記右前側用視認窓１１１Ｃに確定停止表示される外れ図柄として決定される（Ｓ１１１）。
【００８３】
変動態様決定処理（Ｓ１２０）では、前記可変表示装置９の前記左前側用視認窓１１１Ａ、前記中央前側用視認窓１１１Ｂ、前記右前側用視認窓１１１Ｃにおける特別図柄の変動態様及び前記後側用視認窓１１１Ｄにおける背景図柄の変動態様が決定される。図１７に示すように、まず、前記変動態様選択決定用Ｃ６カウンタの更新乱数値Ｒ６が取得され（Ｓ１２１）、次に前記大当たりフラグＦ１が１か否かが判断される（Ｓ１２２）。Ｓ１２２において、大当たりフラグＦ１が１ではなく０の場合、つまり外れの場合には、次にリーチフラグＦ４が１か否かが確認される（Ｓ１２３）。Ｓ１２３において、前記リーチフラグＦ４が１ではなく０の場合、つまりリーチ不成立となる場合には、リーチ無しの変動態様１に決定され、その決定変動態様が前記主制御回路１４０のコマンドバッファに格納される（Ｓ１２８）。
【００８４】
それに対し、Ｓ１２３でリーチ有りと判断された場合には、前記変動態様選択決定用Ｃ６カウンタの取得数値Ｒ６の値が‘０’〜‘２９’か、‘３０〜４４’か、あるいは‘４５’〜‘４９’か否か判断され（Ｓ１２４，Ｓ１２５）、‘０’〜‘２９’の場合には外れリーチＡ１変動態様２（変動時間；１０秒）に決定され、その決定変動態様が前記主制御回路１４０のコマンドバッファに格納される（Ｓ１２９）。それに対して、前記取得数値Ｒ６の値が‘３０’〜‘４４’の場合には外れリーチＢ１変動態様３（変動時間；２０秒）に決定され、その決定変動態様が前記主制御回路１４０のコマンドバッファに格納される（Ｓ１３０）。また、前記取得数値Ｒ６の値が‘４５’〜‘４９’の場合には外れリーチＣ１変動態様４（変動時間；３０秒）に決定され、その決定変動態様が前記主制御回路１４０のコマンドバッファに格納される（Ｓ１３１）。
【００８５】
前記Ｓ１２２で、大当たりフラグＦ１が１と判断された場合、つまり大当たりの場合には、前記取得数値Ｒ６の値が‘０’〜‘９’か、‘１０’〜‘３４’か、あるいは‘３５’〜‘４９’か否か判断され（Ｓ１２６，Ｓ１２７）、‘０’〜‘９’の場合には当たりリーチＡ２変動態様５（変動時間；１２秒）に決定され、その決定変動態様が前記主制御回路１４０のコマンドバッファに格納される（Ｓ１３２）。それに対して、前記取得数値Ｒ６の値が‘１０’〜‘３４’の場合には当たりリーチＢ２変動態様６（変動時間；２２秒）に決定され、その決定変動態様が前記主制御回路１４０のコマンドバッファに格納される（Ｓ１３３）。また、前記取得数値Ｒ６の値が‘３５’〜‘４９’の場合には当たりリーチＣ２変動態様７（変動時間；３２秒）に決定され、その決定変動態様が前記主制御回路１４０のコマンドバッファに格納される（Ｓ１３４）。また、前記変動態様２〜７には、前記のように前記後側識別情報用回転体８１が確定停止表示する背景図柄の種類も設定されている。
【００８６】
なお、前記リーチ有りの変動態様２〜７に決定されて、コマンドバッファに格納された（Ｓ１２９〜Ｓ１３４）後は、前記リーチフラグＦ４が０にセットされて（Ｓ１３５）、この変動態様決定処理（Ｓ１２０）が終了する。
【００８７】
特別遊技実行処理（Ｓ１４０）では、図１８に示すように、まず特別遊技実行中フラグＦ３が１か否か判断され（Ｓ１４１）、Ｆ３＝１ではない、すなわち特別遊技実行中ではないと判断されると、大当たりフラグＦ１が１か否か判断される（Ｓ１４２）。Ｆ１＝１、すなわち大当たりであると判断されると、次に前記可変表示装置９の前記左前側用視認窓１１１Ａ、前記中央前側用視認窓１１１Ｂ、前記右前側用視認窓１１１Ｃ及び前記後側用視認窓１１１Ｄで変動態様の表示及び停止表示が完了したか否か判断され（Ｓ１４３）、表示完了していると判断されると特別遊技が実行される（Ｓ１４４）。この特別遊技の実行により、前記大入賞口１５の開閉板１６が開放されて遊技領域６表面を落下してくる遊技球を受け止め、大入賞口１５内へ入賞可能にする。次いで、特別遊技中フラグＦ３が１にセットされる（Ｓ１４５）と共に大当たりフラグＦ１が０にセットされる（Ｓ１４６）。その後、特別遊技終了条件が成立しているか否か判断される（Ｓ１４７）。この特別遊技終了条件成立判断は、前記開閉板１６の開放から所定時間（例えば２９．５秒）経過した場合、あるいは前記入賞球数カウントスイッチで検出された入賞球数が所定個数（例えば１０個）となった場合に前記特定領域入賞口６３への入賞を検出できなかったか、または前記特定領域入賞口６３への入賞球を特定入賞球検出スイッチが検出するごとに発生する継続権利に基づく設定回数に前記開閉板１６の開放回数が到達したかが判断される。そして、特別遊技終了条件が成立している場合には、停止特別図柄が確変図柄（本実施例では奇数のぞろ目）か否か判断され（Ｓ１４８）、停止特別図柄が確変図柄ではなく通常図柄（本実施例では偶数のぞろ目）である場合には、前記確率変動フラグＦ５が０にセットされ（Ｓ１４９）、また、停止特別図柄が確変図柄（本実施例では奇数のぞろ目）である場合には、前記確率変動フラグＦ５が１にセットされる（Ｓ１５０）。その後、特別遊技が終了し、特別遊技実行中フラグＦ３が０にセットされ（Ｓ１５１）、この特別遊技実行処理（Ｓ１４０）が終了する。なお、前記Ｓ１４１で特別遊技中と判断された場合には大当たりか否かの判断を行うことなく、Ｓ１４７の特別遊技終了条件成立判断にジャンプする。また、前記Ｓ１４２で大当たりではないと判断された場合や、Ｓ１４３で表示が完了していないと判断された場合、あるいはＳ１４７で特別遊技終了条件が成立していないと判断された場合、直ちにこの特別遊技実行処理（Ｓ１４０）は終了する。
【００８８】
その他の処理（Ｓ１６０）では、前記普通図柄の当たり（小当たり）に対する処理や、前記各処理の他に遊技状態時に必要となる処理、例えばエラーの処理等が行われるが、本発明に特に関わりの無い処理であり、詳しい説明を省略する。
【００８９】
なお、本発明は、前記実施例に限定されるものではなく、発明の趣旨を逸脱しない範囲において構成の一部を適宜に変更して実施することができる。例えば、前記実施例では、前側識別情報用回転体を、径と支軸方向の幅との両方について後側識別情報用回転体よりも小としたが、前記径又は支軸方向の幅の何れか一方のみについて小にしてもよい。また、前記前側識別情報用回転体の大きさを前記後側識別情報用回転体の大きさと同じ又はそれ以上にすると共に、前記後側識別情報用回転体を、前記前側識別情報用回転体に対して後方上側あるいは後方下側、又は後方左右の何れか一側へずらして設けることにより、遊技者が前記前側識別情報用回転体の識別情報及び後側識別情報用回転体の識別情報の両方を視認できるようにしてもよい。さらに、前記前側識別情報用回転体及び前記後側識別情報用回転体の個数も、前記実施例のもの（前側識別情報用回転体：３個、後側識別情報用回転体：１個）に限られるものではない。
【００９０】
また、本発明において、前記前側識別情報用回転体と前記後側識別情報用回転体の回転駆動制御は、前記実施例に限られるものではない。例えば、前記複数の前側識別情報用回転体の回転駆動制御において、複数の前側識別情報用回転体のうち、最後に停止する前側識別情報用回転体（前記実施例では中央前側識別情報用回転体）と、回転停止により特別図柄がリーチを構成可能な前側識別情報用回転体（前記実施例では左前側識別情報用回転体と右前側識別情報用回転体）が交互に回転して、最終的に確定停止するように駆動制御してもよい。また、前記実施例では、前記後側識別情報用回転体の停止時期は、前記前側識別情報用回転体の確定停止前に設定されているが、それに限られるものではない。例えば、前記リーチ発生時に前記後側識別情報用回転体を停止させて、視認窓から視認される前記後側識別情報用回転体の停止識別情報（停止背景図柄）だけで大当たりに対する信頼度（大当たりの可能性の高低）を表示したり、前記前側識別情報用回転体の特別図柄（前側識別情報）の変動態様との組合せで信頼度（大当たりに対する可能性の高低）を表示したりしてもよい。
【００９１】
さらにまた、前記実施例では視認窓が、前記前側識別情報用回転体用の視認窓と前記後側識別情報用回転体用の視認窓とに区切られているが、区切ることなく一つの視認窓で全ての識別情報用回転体の識別情報を視認できるようにしてもよい。
【００９２】
また、前記実施例では、前記前側識別情報用回転体の識別情報が判定結果を表示するようにされているが、前記後側識別情報回転体の識別情報で判定結果を示すようにしてもよい。さらに、本発明の遊技機はパチンコ遊技機に限られるものではなく、可変表示装置を備えるものであれば他の種類の遊技機にも適用可能である。
【００９３】
【発明の効果】
請求項１の発明によれば、複数の識別情報用回転体を前後に配置すると共に前側に配置された前側識別情報用回転体と後側に配置された後側識別情報用回転体の両方の識別情報を、遊技機前面側から視認可能としたため、奥行き感がある視野範囲の広い演出が可能となり、前後の識別情報用回転体に対する変動制御による新たな演出を加えることによって新鮮な遊技演出ができ、遊技の趣向性を向上させることができる。
【００９４】
請求項２の発明によれば、前記前側識別情報用回転体を、前記後側識別情報用回転体よりも小さくして、前記前側識別情報用回転体の識別情報と前記後側識別情報用回転体の識別情報の両方を遊技機前面側から視認可能としたため、前後の識別情報を遊技者が容易に視認可能となり、奥行き感のある、しかも新鮮な遊技演出が可能になる。
【００９５】
請求項３の発明によれば、前記駆動手段を前記複数の識別情報用回転体のそれぞれに備え、前記制御手段によって前記複数の識別用回転体をそれぞれ制御するようにしたため、前記複数の識別情報用回転体に設けられた識別情報の変動及び停止による演出の態様に関する自由度が高まり、新鮮さ及び興趣が一層高い遊技演出が可能になる。
【００９６】
請求項４の発明によれば、前記前側識別情報用回転体における識別情報が配列される表示面の少なくとも一部を、前記後側識別情報用回転体の表示が視認可能な透光性部材で形成したため、前記前側識別情報用回転体の識別情報と前記前側識別情報用回転体を通して遊技者に視認される前記後側識別情報用回転体の識別情報とによって、奥行き感のある、しかも一層新鮮な遊技演出が可能になり、また演出の態様に関する自由度も大きくなる。
【００９７】
請求項５の発明によれば、前記前側識別情報用回転体を複数として前記複数の前側識別情報用回転体の支軸を同一方向とすると共に、前記後側識別情報用回転体の支軸と平行としたため、前記前側識別情報用回転体の識別情報と前記後側識別情報用回転体の識別情報が遊技者に見易くなると共に、前記前側及び後側の識別情報用回転体の回転方向を同一方向にしたり、逆方向にしたり、回転を同期させたり、回転速度を互いに異ならせる等したりして、奥行き感のある多彩な遊技演出を行うことができる。
【００９８】
請求項６の発明によれば、前記可変表示装置には、前記複数の識別情報用回転体の前記識別情報を視認可能な視認窓が形成されたカバー体を備え、前記カバー体で前記複数の識別情報用回転体を覆うようにしたため、遊技者による識別情報の視認性を損なうことなく前記複数の識別情報用回転体を保護することができる。
【００９９】
請求項７の発明によれば、前記制御手段には判定開始条件の成立に起因して遊技の当たり外れを判定する当否判定手段を備え、前記前側識別情報用回転体と前記後側識別情報用回転体の何れか一方において前記当否判定手段の当否判定結果を示すようにしたため、遊技者は当否判定結果用の識別情報と当否判定結果用の識別情報とは異なる識別情報の両方を、異なる平面上に前後奥行き感を持って視認できるようになり、視野範囲の広い、新鮮な遊技演出を味わうことができる。
【０１００】
請求項８の発明によれば、前記前側識別情報用回転体の径を、前記後側識別情報用回転体の径よりも小にしたため、遊技者は前記後側識別情報用回転体の識別情報を遊技機前面側から容易に視認することができる。
【０１０１】
請求項９の発明によれば、前記後側識別情報用回転体の支軸方向の幅は、前記前側識別情報用回転体の支軸方向の幅より大きいため、遊技者は前記後側識別情報用回転体の識別情報を遊技機前面側から容易に視認することができる。
【図面の簡単な説明】
【図１】本発明の一実施例に係る遊技機全体について、遊技盤の釘を省略して示す正面図である。
【図２】同遊技機の遊技盤について、釘を省略して示す正面図である。
【図３】同遊技機の可変表示装置を示す斜視図である。
【図４】同可変表示装置のカバー体及びその内部の識別情報用回転体を示す斜視図である。
【図５】同可変表示装置のカバー体を除いた状態の正面図である。
【図６】同可変表示装置のカバー体を除いた状態の右側斜視図である。
【図７】同可変表示装置のカバー体を除いた状態の左側斜視図である。
【図８】同可変表示装置の後側識別情報用回転体の識別情報の一例を示す図である。
【図９】同遊技機の電気制御を簡略に示すブロック図である。
【図１０】同遊技機における主制御回路のメイン処理に関するフローチャートである。
【図１１】入力処理に関するフローチャートである。
【図１２】乱数更新処理に関するフローチャートである。
【図１３】乱数取得処理に関するフローチャートである。
【図１４】大当たり当否判定処理に関するフローチャートである。
【図１５】リーチ有無決定処理に関するフローチャートである。
【図１６】確定停止図柄決定処理に関するフローチャートである。
【図１７】変動態様決定処理に関するフローチャートである。
【図１８】特別遊技実行処理に関するフローチャートである。
【符号の説明】
１    遊技機
３    遊技盤
９    可変表示装置
１０    始動入賞口
７１    前側識別情報用回転体
７１Ａ  左前側識別情報用回転体
７１Ｂ  中央前側識別情報用回転体
７１Ｃ  右前側識別情報用回転体
８１    後側識別情報用回転体
９１Ａ  左前側用駆動手段
９１Ｂ  中央前側用駆動手段
９１Ｃ  右前側用駆動手段
１０１    後側用駆動手段
１１０    カバー体
１１１Ｃ  左前側用視認窓
１１１Ｂ  中央前側用視認窓
１１１Ｃ  右前側用視認窓
１１１Ｄ  後側用視認窓
１４０    主制御回路
１５０    表示制御回路
【図１】
2004283307.tif 000004
【図２】
2004283307.tif 000005
【図３】
2004283307.tif 000006
【図４】
2004283307.tif 000007
【図５】
2004283307.tif 000008
【図６】
2004283307.tif 000009
【図７】
2004283307.tif 000010
【図８】
2004283307.tif 000011
【図９】
2004283307.tif 000012
【図１０】
2004283307.tif 000013
【図１１】
2004283307.tif 000014
【図１２】
2004283307.tif 000015
【図１３】
2004283307.tif 000016
【図１４】
2004283307.tif 000017
【図１５】
2004283307.tif 000018
【図１６】
2004283307.tif 000019
【図１７】
2004283307.tif 000020
【図１８】
2004283307.tif 000021